(57)【要約】【課題】  浴槽近傍の任意の位置で使用できるとともに、手すり装置が設けられた壁面部の撓みを少なくすることのできる浴室を提供すること。【解決手段】  浴槽１３の連続する二つの側面に隣接して設置された二つの壁面部１２，１５に掛け渡した状態で浴槽１３の上方に手すり装置２０を取り付けた。また、壁面部１２にレール部材２１を設けるとともに壁面部１５にレール部材２２を設けて、手すり部材２３の一端にレール部材２１にスライド移動可能な状態で係合する連結部材２４を取り付け、手すり部材２３の他端にレール部材２２にスライド移動可能な状態で係合する連結部材２５を取り付けた。さらに、レール部材２１に間隔を保って複数のピン挿通孔２１ｄを形成するとともに連結部材２４にピン挿通孔３４を形成して、両ピン挿通孔２１ｄ，３４に固定ピン３５を挿通させることにより手すり部材２３を固定できるようにした。【選択図】  図１
2008289514.tif 000002
【特許請求の範囲】
【請求項１】
浴槽に隣接して設置された壁面部に取り付けられ入浴者が前記浴槽から出入りする際に使用する棒状の手すり部材を有する手すり装置が備わった浴室であって、前記手すり装置が前記浴槽の連続する二つの側面に隣接して設置され略直交して連続する二つの壁面部に掛け渡されて前記手すり部材に前記浴槽の湯面上方に位置する部分が備わっていることを特徴とする浴室。
【請求項２】
前記手すり装置が、前記二つの壁面部にそれぞれ設けられ前記手すり部材の対応する端部と係合位置を変更可能にして係合できる被係合部を備え、前記手すり部材の両端部と、前記二つの壁面部にそれぞれ設けられた被係合部との係合位置を変更することにより、前記手すり部材の取り付け位置を変更可能にした請求項１に記載の浴室。
【請求項３】
前記被係合部を前記二つの壁面部にそれぞれ設けられた略水平方向に延びるレール部材で構成するとともに、前記レール部材に対してスライド移動可能な状態で係合する連結部材を前記手すり部材の両端部にそれぞれ水平方向に回転自在な状態で取り付けた請求項２に記載の浴室。
【請求項４】
前記浴槽の平面視における形状を一方から他方に向って長くなった形状に形成し、前記二つの壁面部のうちの少なくとも前記浴槽の長手側の側面に沿った壁面部に設けられたレール部材に位置決用挿通孔を前記レール部材の長手方向に間隔を保って複数形成するとともに、そのレール部材に係合する連結部材に前記位置決用挿通孔に連通可能な固定用挿通孔を形成し、前記複数の位置決用挿通孔のうちの所定の位置決用挿通孔と前記固定用挿通孔との位置を合わせた状態で、前記位置決用挿通孔と前記固定用挿通孔とに固定ピンを挿通させることにより前記手すり部材を固定できるようにした請求項３に記載の浴室。
【発明の詳細な説明】
【技術分野】
【０００１】
本発明は、浴槽に隣接して設置された壁面部に取り付けられ入浴者が浴槽から出入りする際に使用する手すり装置が備わった浴室に関する。
【背景技術】
【０００２】
従来から、浴室内に設置される浴槽の近傍には手すりが設けられており、入浴者がこの手すりを持つことにより浴槽から出入りする際の動作がし易くなる。また、入浴者が老人や身体に障害を持った人である場合には、この手すりの位置を任意の位置に変更して入浴者の移動がさらにし易くなるようにすることが好ましく、このため、浴槽の近傍で移動可能になった手すりを備えた浴室も開発されている（例えば、特許文献１参照）。この浴室では、上下に平行して水平方向に延びる一対のレール部材を各壁面部に設けている。そして、浴槽の長手方向の側面に隣接する壁面部における下側のレール部材に、水平方向に延び平面視が略コ字状になった手すりをレール部材に沿って位置変更可能な状態で取り付けている。
【０００３】
また、浴槽の短手方向の側面に隣接する壁面部と、浴槽から離間した状態で浴槽に対向する壁面部とに設けられた一対のレール部材には、それぞれ上下方向に延び側面視が略コ字状になった手すりをレール部材に沿って位置変更可能な状態で掛け渡している。このため、入浴者は各手すりを持って浴室内を移動することができる。しかしながら、前述した従来の手すりは壁面部に設けられたレール部材に沿ってのみ位置変更が可能であるため、手すりを壁面部から離れた任意の位置に移動させることはできない。このため、入浴者が壁面部から離れた場所で手すりを使用することができず、手すりを使用できる場所が限られるという問題がある。また、手すりの数が多くなるという問題もある。
【０００４】
このため、手すりを壁面部に対して回転可能にして手すりの位置を変更できるようにした浴室用手すり装置も開発されている（例えば、特許文献２参照）。この浴室用手すり装置が備わった浴室では、出入口である引戸から壁面部に沿って浴室の内部側に補助手すりが設けられている。そして、壁面部におけるこの補助手すりの室内側端部の近傍に回動部材を備えた支持部材が設けられ、この回動部材に手すり部材が回転方向に位置を変更可能な状態で取り付けられている。したがって、入浴者は、引戸から補助手すりを伝って手すり部材まで移動し、手すり部材をつかんだのちには、手すり部材に伝って浴槽内に移動することができる。この場合、手すり部材の回転方向の位置を変更することにより、入浴者は浴槽のどの部分からでも浴槽内に入ることができる。
【特許文献１】特開平７−１８９５０７号公報
【特許文献２】特開平９−９４２７７号公報
【発明の開示】
【０００５】
しかしながら、前述した浴室用手すり装置は一つの壁面部で支持されるためその壁面部に大きな荷重が掛かる。その結果、浴室用手すり装置が取り付けられる壁面部が他の壁面部よりも撓み易くなる。
【０００６】
本発明は、前述した問題に対処するためになされたもので、その目的は、浴槽近傍の任意の位置で使用できるとともに、手すり装置が設けられた壁面部の撓み量を少なくすることにより安心して使用できる浴室を提供することにある。
【０００７】
前述した目的を達成するため、本発明に係る浴室の構成上の特徴は、浴槽に隣接して設置された壁面部に取り付けられ入浴者が浴槽から出入りする際に使用する棒状の手すり部材を有する手すり装置が備わった浴室であって、手すり装置が浴槽の連続する二つの側面に隣接して設置され略直交して連続する二つの壁面部に掛け渡されて手すり部材に浴槽の湯面上方に位置する部分が備わっていることにある。
【０００８】
このように構成した本発明に係る浴室に備わった手すり装置は、二つの壁面部に掛け渡されているため、手すり装置に掛かる荷重が二つの壁面部に分散され各壁面部に生じる撓み量が少なくなる。このため、入浴者は、安心して手すり装置に体重を掛けることができる。さらに、手すり装置が二つの壁面部に掛け渡されているため、手すり部材を所定の壁面部に沿った部分だけでなく浴槽の湯面上方の部分にも位置させることができる。この結果、入浴者が手すり部材を持って浴槽内に入る際の移動がし易くなる。
【０００９】
また、本発明に係る浴室の他の構成上の特徴は、手すり装置が、二つの壁面部にそれぞれ設けられ手すり部材の対応する端部と係合位置を変更可能にして係合できる被係合部を備え、手すり部材の両端部と、二つの壁面部にそれぞれ設けられた被係合部との係合位置を変更することにより、手すり部材の取り付け位置を変更可能にしたことにある。
【００１０】
これによると、手すり部材の端部をそれぞれ二つの壁面部に設けられた被係合部の任意の部分に係合させることにより、手すり部材を二つの壁面部の一方に沿わせたり、浴槽の湯面側に突出させたりすることができる。また、手すり部材を浴槽の湯面側に突出させる際の突出量も任意に設定することができる。この場合、二つの壁面部と手すり部材とで囲まれる部分の平面視による形状が略二等辺三角形になったときの手すり部材の突出量が最大になる。また、本発明によると、入浴者は１個の手すり装置を用いて二つの壁面部に沿った移動が可能になる。なお、この場合の手すり部材の棒状は、断面が円形や四角形等の棒状に限らず、平面部を備えた板状が長くなった棒状でもよく、直線状に延びる棒状でも湾曲や屈曲した棒状でもよい。
【００１１】
本発明に係る浴室のさらに他の構成上の特徴は、被係合部を二つの壁面部にそれぞれ設けられた略水平方向に延びるレール部材で構成するとともに、レール部材に対してスライド移動可能な状態で係合する連結部材を手すり部材の両端部にそれぞれ水平方向に回転自在な状態で取り付けたことにある。これによると、簡単な構造で手すり部材を自在に移動させるための機構を構成することができる。
【００１２】
本発明に係る浴室のさらに他の構成上の特徴は、浴槽の平面視における形状を一方から他方に向って長くなった形状に形成し、二つの壁面部のうちの少なくとも浴槽の長手側の側面に沿った壁面部に設けられたレール部材に位置決用挿通孔をレール部材の長手方向に間隔を保って複数形成するとともに、そのレール部材に係合する連結部材に位置決用挿通孔に連通可能な固定用挿通孔を形成し、複数の位置決用挿通孔のうちの所定の位置決用挿通孔と固定用挿通孔との位置を合わせた状態で、位置決用挿通孔と固定用挿通孔とに固定ピンを挿通させることにより手すり部材を固定できるようにしたことにある。
【００１３】
これによると、位置決用挿通孔と固定用挿通孔とに固定ピンを挿通させることにより手すり部材を固定でき、位置決用挿通孔と固定用挿通孔とから固定ピンを引き抜くことにより手すり部材をレール部材に沿って移動可能な状態にすることができる。このため、手すり部材を固定する操作と移動可能な状態にする操作とが容易になる。また、浴槽の長手側の側面に沿った壁面部のレール部材に位置決用挿通孔を設けることにより、位置決用挿通孔と固定用挿通孔への固定ピンの着脱操作を、浴槽内にいる入浴者が行うことができるようになる。さらに、二つの壁面部に設けられたレール部材にそれぞれ位置決用挿通孔を設けるとともに、両連結部材にそれぞれ固定用挿通孔を形成して、入浴者の居る場所に応じ一方の位置決用挿通孔と固定用挿通孔への固定ピンの着脱操作ができるようにすることもできる。
【発明を実施するための最良の形態】
【００１４】
以下、本発明の一実施形態を図面を用いて説明する。図１は、同実施形態に係る手すり装置２０が設置された浴室１０を示している。この浴室１０では、浴室１０と脱衣室（図示せず）とを区切る壁面部１１または１６に出入り用のドア（図示せず）が設けられている。そして、浴室１０の左側には、浴室１０と外部とを区切る壁面部１２が設けられ、この壁面部１２に沿って浴槽１３が設置されている。浴槽１３は、前後方向（図１における上下方向）が左右方向よりも長くなった矩形に形成されている。
【００１５】
そして、この浴槽１３は、長手方向の一方の側面を壁面部１２に沿わせ、長手方向の他方の側面の下端側部分を洗い場１４に沿わせている。また、浴槽１３は、幅の小さな後部側の側面を壁面部１１の左側部分に沿わせ、幅の小さな前部側の側面を壁面部１１に対向して設置された壁面部１５の左側部分に沿わせている。そして、壁面部１２に対向する壁面部１６と浴槽１３との間における壁面部１５に沿った部分には、カウンター１７が設けられ、壁面部１５におけるカウンター１７の上方部分に水栓や鏡等（図示せず）が設けられている。
【００１６】
手すり装置２０は、壁面部１２に設けられたレール部材２１、壁面部１５に設けられたレール部材２２、棒状の手すり部材２３、手すり部材２３の後部側端部に取り付けられレール部材２１に係合する連結部材２４および手すり部材２３の前部側端部に取り付けられレール部材２２に係合する連結部材２５で構成されている。レール部材２１は、壁面部１２における浴槽１３よりもやや上方部分に設けられており、浴槽１３の前後方向の略中央部に対応する部分から後方の壁面部１１の近傍部分に掛けて水平方向に延びている。
【００１７】
このレール部材２１は、図２に示したように、壁面部１２に接面する平面板状の接面部２１ａと、接面部２１ａの上端部から室内側に延びたのちに屈曲して下方に延びる上部屈曲片２１ｂと、接面部２１ａの下端部から室内側に延びたのちに屈曲して上方に延びる下部屈曲片２１ｃとからなる断面形状が略Ｃ字状の部材で構成されている。そして、レール部材２１の接面部２１ａには、接面部２１ａの長手方向に所定間隔を保ってねじの軸部を通すすきま孔であるねじ挿通孔が複数形成されており、このねじ挿通孔にねじ２６ａを通すとともに、ねじ２６ａを壁面部１２に螺合させることによりレール部材２１は壁面部１２に固定されている。
【００１８】
また、上部屈曲片２１ｂの上面には上下に貫通する本発明の位置決用挿通孔としての複数のピン挿通孔２１ｄが上部屈曲片２１ｂの長手方向に略１０ｃｍ程度の間隔を保って形成されている。レール部材２２は、壁面部１５における浴槽１３よりもやや上方部分に設けられており、浴槽１３の左右の幅方向に略対応する部分に水平方向に延びている。このレール部材２２は、図３に示したように、壁面部１５に接面する平面板状の接面部２２ａと、接面部２２ａの上端部から室内側に延びたのちに屈曲して下方に延びる上部屈曲片２２ｂと、接面部２２ａの下端部から室内側に延びたのちに屈曲して上方に延びる下部屈曲片２２ｃとからなる断面形状が略Ｃ字状の部材で構成されている。
【００１９】
そして、レール部材２２の接面部２２ａには、上下に間隔を保った一対のねじ挿通孔が接面部２２ａの長手方向に間隔を保って複数対形成されており、この各ねじ挿通孔にねじ２６ｂを通すとともに、ねじ２６ｂを壁面部１５に螺合させることによりレール部材２２は壁面部１５に固定されている。なお、レール部材２１とレール部材２２とで、本発明に係る被係合部が構成される。
【００２０】
また、手すり部材２３は、長さが、浴槽１３の長手方向の長さよりもやや短い直線状の棒体で構成されている。そして、この手すり部材２３の本体部分は、図４ないし図６に示したように、平面視による幅が側面視による厚みよりも大きくなった平面状部分２３ａと、平面状部分２３ａの下面における壁面部１２，１５側に位置する縁部に沿って設けられ下方に突出する断面形状が略半円状の突部２３ｂとで構成されている。また、平面状部分２３ａの両端部には、それぞれ平面状部分２３ａよりも厚みがやや小さく平面視が半円状になった係合片２７，２８が形成されている。そして、係合片２７，２８の略中央にそれぞれ上下に貫通する係合穴２７ａ，２８ａが形成されている。
【００２１】
手すり部材２３と連結部材２４が回転可能となるように、手すり部材２３の係合片２７が連結部材２４にねじ２９ａで連結されている。また、手すり部材２３と連結部材２５が回転可能となるように、手すり部材２３の係合片２８が連結部材２５にねじ２９ｂで連結されている。連結部材２４は、連結部本体３１と、２個のベアリング３２ａ，３２ｂとで構成されている。そして、連結部本体３１は、レール部材２１の長手方向に沿った部分が長くなった矩形の基部３１ａと、基部３１ａの室内側部分に上下に間隔を保って形成され平面視における基部３１ａ側部分が略四角形で先端側が半円状になった上下一対の支持片３１ｂ，３１ｃと、基部３１ａの長手方向の中央から壁面部１２側に突出する突出片３１ｄとで構成されている。
【００２２】
連結部本体３１の上下方向の厚みは、レール部材２１における上部屈曲片２１ｂの下端部と下部屈曲片２１ｃの上端部との間の長さよりもやや小さく設定され、突出片３１ｄを上部屈曲片２１ｂと下部屈曲片２１ｃとの間の隙間からレール部材２１内に挿入できるようになっている。そして、基部３１ａの後面における突出片３１ｄの両側に設けられた軸部３３（一方しか図示せず）を介してそれぞれベアリング３２ａ，３２ｂが取り付けられている。
【００２３】
ベアリング３２ａ，３２ｂは、レール部材２１内に収容できる大きさに形成されており、上部屈曲片２１ｂと下部屈曲片２１ｃとでレール部材２１内から室内側に外れることを防止された状態でレール部材２１内に収容されている。そして、このベアリング３２ａ，３２ｂの軸部３３を中心とした回転により連結部材２４はレール部材２１に沿って移動可能になっている。また、突出片３１ｄには、上面から下面に貫通する本発明の固定用挿通孔としてのピン挿通孔３４が形成されている。
【００２４】
このため、レール部材２１に形成された複数のピン挿通孔２１ｄのうちの所定のピン挿通孔２１ｄにピン挿通孔３４を合わせた状態で、両ピン挿通孔２１ｄ，３４に固定ピン３５を挿通させることにより、連結部材２４をレール部材２１に固定できる。この場合、固定ピン３５の頭部はレール部材２１の上面から突出した状態になる。そして、この固定ピン３５は、頭部を持って上方に引き上げることにより簡単に両ピン挿通孔２１ｄ，３４から外れ、連結部材２４のレール部材２１への固定を解除する。また、支持片３１ｂには、上下に貫通する挿通孔３６ａが形成され、支持片３１ｃには、上下に貫通するねじ穴３６ｂが形成されている。
【００２５】
挿通孔３６ａは上部側の直径が下部側の直径よりも大きくなった２段状の穴部に形成され、ねじ穴３６ｂの内周面にはねじ部が形成されている。そして、支持片３１ｂ，３１ｃ間に、手すり部材２３の係合片２７を入れ、挿通孔３６ａとねじ穴３６ｂに係合穴２７ａを合わせた状態で、挿通孔３６ａと係合穴２７ａにねじ２９ａを挿通させねじ２９ａの先端部をねじ穴３６ｂに螺合させることにより、手すり部材２３と連結部材２４とは、ねじ２９ａを中心として互いに回転可能な状態で連結されている。この場合、ねじ２９ａの頭部は挿通孔３６ａの上部側部分の内部に位置して支持片３１ｂの上面に突出しない。
【００２６】
連結部材２５は、連結部本体３８と、２個のベアリング３９（１個しか図示せず）とで構成されている。そして、連結部本体３８は、レール部材２２の長手方向に沿った部分が長くなった矩形の基部３８ａと、基部３８ａの室内側部分に上下に間隔を保って形成された平面視が長方形の上下一対の支持片３８ｂ，３８ｃとで構成されている。連結部本体３８の上下方向の厚みは、レール部材２２における上部屈曲片２２ｂの下端部と下部屈曲片２２ｃの上端部との間の長さよりもやや小さく設定され、基部３８ａ側部分を上部屈曲片２２ｂと下部屈曲片２２ｃとの間の隙間からレール部材２２内に挿入できるようになっている。
【００２７】
そして、図７ないし図９に示したように、基部３８ａの後面（壁面部１５側に位置する面）における左右両側部分に軸部４１，４２が間隔を保って形成されている。軸部４１，４２の先端部には、レール部材２２の接面部２２ａに対して滑り易いフッ素系樹脂からなるスラスト調整部４１ａ，４２ａが設けられ、このスラスト調整部４１ａ，４２ａと軸部４１，４２の本体側部分との間には溝部４１ｂ，４２ｂがそれぞれ円周に沿って形成されている。２個のベアリング３９は、それぞれ軸部４１，４２に支持され、溝部４１ｂ，４２ｂに取付けたＥリング４３で抜け止めされた状態でレール部材２２内に設置されている。なお、ベアリング３９と、上部屈曲片２２ｂおよび下部屈曲片２２ｃとの間にはワッシャ４４が取り付けられている。
【００２８】
このベアリング３９の軸部４１，４２を中心とした回転により連結部材２５はレール部材２２に沿って移動可能になっている。また、支持片３８ｂには、上下に貫通する挿通孔４５ａが形成され、支持片３８ｃには、上下に貫通するねじ穴４５ｂが形成されている。挿通孔４５ａは上部側の直径が下部側の直径よりも大きくなった２段状の穴部に形成され、ねじ穴４５ｂの内周面にはねじ部が形成されている。
【００２９】
そして、支持片３８ｂ，３８ｃ間に、手すり部材２３の係合片２８を入れ、挿通孔４５ａとねじ穴４５ｂに係合穴２８ａを合わせた状態で、挿通孔４５ａと係合穴２８ａにねじ２９ｂを挿通させねじ２９ｂの先端部をねじ穴４５ｂに螺合させることにより、手すり部材２３と連結部材２５とは、ねじ２９ｂを中心として互いに回転可能な状態で連結されている。この場合も、ねじ２９ｂの頭部は挿通孔４５ａの上部側部分の内部に位置して支持片３８ｂの上面に突出しない。
【００３０】
この構成において、入浴者Ａ（図１０参照）が入浴する際には、まず、手すり部材２３の後部側をレール部材２１の前部側に位置させるとともに、手すり部材２３の前部側をレール部材２２の右側に位置させて、図１０に示したように、手すり部材２３を浴槽１３の湯面側に突出させた状態にしておく。このため、入浴者Ａは、浴槽１３の湯面上方に位置する手すり部材２３を持って浴槽１３内に入ることができる。この場合、入浴者Ａは、手すり部材２３を手で持つだけでなく、体重を手すり部材２３に掛けるようにして移動することができる。
【００３１】
また、手すり部材２３の上面は平面状に形成されているため、この移動のときに、入浴者Ａは手すり部材２３に体重を掛け易くなるとともに、手すり部材２３から手が滑りにくくなる。そして、入浴者Ａが湯船に浸かったときに、手すり部材２３が邪魔になる場合には、図１１に示したように、手すり部材２３を壁面部１２に沿わせておく。この場合、固定ピン３５を上方に引き上げて連結部材２４のレール部材２１への固定を解除したのちに、手すり部材２３の後部側をレール部材２１の後部側に位置させるとともに、手すり部材２３の前部側をレール部材２２の左側に位置させる。
【００３２】
そして、手すり部材２３を壁面部１２に沿わせた状態で、ピン挿通孔２１ｄとピン挿通孔３４とに固定ピン３５を挿通させることにより、手すり部材２３をレール部材２１に固定する。これによって、手すり部材２３の前部側もレール部材２２に対して固定された状態になる。また、入浴者Ａが浴槽１３から立ち上がる際には、図１１のように、手すり部材２３を壁面部１２に沿わせたままの状態にしてもよいし、図１０のように、手すり部材２３を浴槽１３の湯面側に突出させた状態にしてもよい。
【００３３】
このように、本実施形態に係る手すり装置２０は、入浴者Ａを支持するための手すり部材２３を浴槽１３の湯面上方で移動可能な状態にして浴槽１３に隣接する壁面部１２，１５に掛け渡されている。このため、手すり部材２３の位置を適宜変更することができ、これによって入浴者Ａが浴槽１３から出入りする際の動作がし易くなる。また、手すり部材２３に掛かる入浴者Ａの体重が分散され両壁面部１２，１５に生じる撓み量が少なくなる。この結果、見かけの手すり装置２０の剛性が高くなって手すり装置２０を使用する際の変位量が少なくなり、安心して手すり装置２０を使用できる。
【００３４】
また、手すり部材２３の上面が平面状に形成されているため、入浴者Ａは、手すり部材２３に体重を掛け易くなる。さらに、手すり部材２３の下面には、断面形状が略半円状の突部２３ｂが形成されているため強度が大きくなる。また、手すり部材２３の位置を変更するための操作が、固定ピン３５をピン挿通孔２１ｄとピン挿通孔３４から引き抜いたのちに手すり部材２３の位置を調節し、他のピン挿通孔２１ｄとピン挿通孔３４に固定ピン３５を挿通させるだけで済むため簡単である。
【００３５】
また、ピン挿通孔２１ｄを備えたレール部材２１を浴槽１３の長手方向の側面に隣接する壁面部１２に設けたため、ピン挿通孔２１ｄとピン挿通孔３４への固定ピン３５の着脱操作を浴槽１３内にいる入浴者Ａが行うことができる。さらに、複数のピン挿通孔２１ｄが、略１０ｃｍの短い間隔でレール部材２１に形成されているため、手すり部材２３の位置を細かな範囲で調節できる。また、連結部本体３８の軸部４１，４２の先端部には、スラスト調整部４１ａ，４２ａが設けられているため、連結部材２５は、がたつくことなくレール部材２２に沿ったスムーズな移動ができる。
【００３６】
また、図１２は、本実施形態の変形例による浴室が備える手すり装置５０を示している。この手すり装置５０では、手すり部材５３が真っ直ぐの棒体でなく、下方側から見た状態で略Ｌ形になった棒体で構成されている。そして、Ｌ形の短い片を後方に位置させるとともに突出した角部を浴槽５４の中央側に向けた状態で手すり部材５３を設置している。この手すり装置５０を備えた浴室のそれ以外の部分の構成については、前述した手すり装置２０を備えた浴室１０と同一である。したがって、同一部分に同一符号を記して説明は省略する。これによると、手すり部材５３をさらに浴槽５４の中央側に位置させることができるため、洗い場１４側にいる入浴者Ａの手が届き易くなる。この手すり装置５０を備えた浴室のそれ以外の作用効果については、前述した手すり装置２０を備えた浴室１０と同様である。
【００３７】
また、図１３は、本実施形態の他の変形例による浴室が備える手すり装置６０を示している。この手すり装置６０では、手すり部材６３が真っ直ぐやＬ形の棒体でなく、平面視が弓形に湾曲した棒体で構成されている。そして、弓形の突出した部分を浴槽６４の中央側に向けた状態で手すり部材６３を設置している。この手すり装置６０を備えた浴室のそれ以外の部分の構成については、前述した手すり装置２０を備えた浴室１０と同一である。したがって、同一部分に同一符号を記して説明は省略する。これによると、手すり部材６３の全体、特に中央部分をさらに浴槽６４の中央側に位置させることができる。この手すり装置６０を備えた浴室のそれ以外の作用効果については、前述した手すり装置２０を備えた浴室１０と同様である。
【００３８】
また、本発明に係る浴室は、前述した実施形態に限定するものでなく、適宜変更して実施することができる。例えば、前述した実施形態では、壁面部１２に設けられた被係合部として、レール部材２１を用いているが、この被係合部としては、手すり部材２３等の端部と係合可能な凹部を備えた複数の係合部材を壁面部１２に一定間隔で取り付けたもので構成してもよい。また、横長の棒材等の上面に間隔を保って手すり部材２３等の端部と係合可能な凹部を設けたものを被係合部として用いることもできる。同様に、レール部材２２に代えて、凹部を備えた複数の係合部材や凹部を備えた横長の棒材等を用いることもできる。要は、被係合部は手すり部材２３等を位置変更可能な状態で支持できるものであればよい。
【００３９】
また、前述した実施形態では、ピン挿通孔２１ｄとピン挿通孔３４とに固定ピン３５を上方から挿通させることにより、手すり部材２３をレール部材２１に固定するようにしているが、この機構に代えて、摩擦を利用したブレーキ機構を用いて手すり部材２３等を任意の位置に固定できるようにすることもできる。また、上部屈曲片２１ｂの側面部にピン挿通孔を設けるとともに、連結部本体３１の上面にピン挿通孔を備えた突片を上部屈曲片２１ｂの側面部に対向させて設け、両ピン挿通孔に対して水平方向に固定ピンを挿通させることもできる。
【００４０】
さらに、スラスト調整部４１ａ，４２ａをフッ素系樹脂で構成しているが、フッ素系樹脂に代えて、ナイロン樹脂、ポリアセタール、ポリエチレン、ポリプロピレンなどを用いてもよい。また、この材料で、連結部本体３１におけるレール部材２１と接触する部分を構成してもよい。さらに、手すり部材としては、前述した直線状、Ｌ形、弓形に限らず他の形状でもよく、浴槽の中央側上方に突出できる形状であればよい。また、それ以外の部分の構成についても本発明の技術的範囲内で適宜変更することができる。
【図面の簡単な説明】
【００４１】
【図１】本発明の一実施形態に係る手すり装置を備えた浴室を示した平面図である。
【図２】一方のレール部材と連結部材とを示した分解斜視図である。
【図３】他方のレール部材と連結部材とを示した一部切欠き斜視図である。
【図４】手すり部材の平面図である。
【図５】手すり部材の正面図である。
【図６】図４の６−６断面図である。
【図７】他方の連結部材の本体部分の斜視図である。
【図８】図７の連結部材を後側から見た状態を示した斜視図である。
【図９】図７の９−９断面図である。
【図１０】入浴者が手すり装置を使用して浴槽内に入る状態を示した説明図である。
【図１１】入浴者が浴槽内に入った状態を示した説明図である。
【図１２】変形例による手すり装置を示した平面図である。
【図１３】他の変形例による手すり装置を示した平面図である。
【符号の説明】
【００４２】
１０…浴室、１２，１５…壁面部、１３，５４，６４…浴槽、２０，５０，６０…手すり装置、２１，２２…レール部材、２１ｄ，３４…ピン挿通孔、２３，５３，６３…手すり部材、２４，２５…連結部材、３５…固定ピン。
【図１】
2008289514.tif 000003
【図２】
2008289514.tif 000004
【図３】
2008289514.tif 000005
【図４】
2008289514.tif 000006
【図５】
2008289514.tif 000007
【図６】
2008289514.tif 000008
【図７】
2008289514.tif 000009
【図８】
2008289514.tif 000010
【図９】
2008289514.tif 000011
【図１０】
2008289514.tif 000012
【図１１】
2008289514.tif 000013
【図１２】
2008289514.tif 000014
【図１３】
2008289514.tif 000015